(57)【要約】【課題】バスケット内に形成された液分及びケーキを容易に回収することができる遠心沈降式の遠心分離装置を提供する。【解決手段】バスケット１内に設定した後退位置とバスケットの開口部１０３の前方に設定した前進位置との間を変位可能なケーキ押出板２と、バスケットの開口部を閉じる蓋板３と、ケーキ押出板２を貫通した排液の流路を形成する排液装置９とを設けて、バスケット１内で遠心沈降作用により原液を液分とケーキ分とに分離した後、バスケット１内を高圧状態にして液分を排液装置９を通してバスケット外に排出し、次いでケーキをケーキ押出板２によりバスケット外に押し出すことにより回収する。【選択図】    図１
2020151642.tif 000002
【特許請求の範囲】
【請求項１】
周壁部を有し、軸線方向の一端が底壁部で閉じられ、軸線方向の他端側に開口部が設けられたバスケットを回転させて、該バスケット内に供給した原液を遠心沈降作用により液分とケーキ分とに分離する固液分離処理を行う遠心分離装置であって、
一面及び他面をそれぞれ前記バスケットの底壁部側及び該底壁部と反対側に向けた状態で前記バスケットとともに回転するように設けられるとともに、前記一面が前記バスケット内で前記バスケットの底壁部に隙間を介して対向した状態になる位置に設定された後退位置と、前記バスケットの開口部又は該開口部の前方に設定された前進位置との間を前記バスケットの軸線方向に沿って変位し得るように設けられたケーキ押出板と、
前記ケーキ押出板が前記後退位置にあるときに前記バスケットの開口部を気密に閉じ、前記ケーキ押出板が前記前進位置に向けて変位していく過程で前記バスケットの開口部を開く蓋板と、
一部が前記ケーキ押出板を貫通した状態で前記ケーキ押出板に取り付けられて、前記ケーキ押出板の前記他面側から前記ケーキ押出板を貫通して前記ケーキ押出板の一面側に液を流す流路を内部に有する排液装置と、
前記ケーキ押出板の一面と前記バスケットの底壁部との間の隙間内に臨む位置で前記バスケットを貫通した排液孔と、
を具備し、
前記ケーキ押出板を前記後退位置に位置させて前記蓋板により前記バスケットの開口部を閉じた状態で前記バスケット内の圧力を外気圧よりも高い設定圧力以上の圧力とすることにより前記バスケット内に存在する上澄み液を前記排液装置内の流路と前記排液孔とを通して前記バスケットの外部に排出し、前記ケーキ押出板を前記後退位置から前進位置に向けて変位させて前記バスケット内のケーキを前記バスケットから押し出すことにより前記バスケット内のケーキを外部に排出するように構成された遠心分離装置。
【請求項２】
周壁部を有し、軸線方向の一端が底壁部で閉じられ、軸線方向の他端側に開口部が設けられたバスケットを回転させて、該バスケット内に供給した原液を遠心沈降作用により液分とケーキ分とに分離する固液分離処理を行う遠心分離装置であって、
一面及び他面をそれぞれ前記バスケットの底壁部側及び該底壁部と反対側に向けた状態で前記バスケットとともに回転するように設けられるとともに、前記一面が前記バスケット内で前記バスケットの底壁部に隙間を介して対向した状態になる位置に設定された後退位置と、前記バスケットの開口部の前方に設定された前進位置との間を前記バスケットの軸線方向に沿って変位し得るように設けられたケーキ押出板と、
前記ケーキ押出板が前記後退位置にあるときに前記バスケットの開口部を気密に閉じ、前記ケーキ押出板が前記前進位置に向けて変位していく過程で前記バスケットの開口部を開く蓋板と、
柔軟性を有する材料により筒状に形成されて前記バスケットの開口部に一端が固定されるとともに、他端が前記ケーキ押出板の外周部に固定されて、前記ケーキ押出板が前記後退位置にあるときに前記バスケットの周壁部の内周を覆った状態で配置され、前記ケーキ押出板が前記後退位置から前記前進位置に向けて変位する過程で反転させられる可撓スリーブと、
一部が前記ケーキ押出板を貫通した状態で前記ケーキ押出板に取り付けられて、前記ケーキ押出板の前記他面側から前記ケーキ押出板を貫通して前記ケーキ押出板の一面側に液を流す流路を内部に有する排液装置と、
前記ケーキ押出板の一面と前記バスケットの底壁部との間に形成された隙間内に臨む位置で前記バスケットを貫通した排液孔と、
を具備し、
前記ケーキ押出板を前記後退位置に位置させて前記蓋板により前記バスケットの開口部を閉じた状態で前記バスケット内の圧力を外気圧よりも高い設定圧力以上の圧力とすることにより前記バスケット内に存在する上澄み液を前記排液装置内の流路と前記排液孔とを通して前記バスケットの外部に排出し、前記ケーキ押出板を前記後退位置から前進位置に向けて変位させて前記ケーキ押出板により前記バスケット内のケーキを押し出しながら前記可撓スリーブを反転させることにより前記バスケット内のケーキを前記バスケットの外部に排出するように構成された遠心分離装置。
【請求項３】
前記排液装置は、前記バスケットの回転中心軸線から偏心した位置で該ケーキ押出板を前記バスケットの軸線方向に沿って貫通した部分を有して前記ケーキ押出板の他面側から前記ケーキ押出板を貫通して前記ケーキ押出板の一面側に液を流す流路を内部に有する押出板貫通部と、前記ケーキ押出板の他面側に配置された前記押出板貫通部の一端に後端部が接続されるとともに、先端部が前記バスケットの周壁部に向けられた状態で設けられて、先端が前記バスケットの周壁部側に開口し後端が前記押出板貫通部内の流路に連通した流路を内部に有する液分導入部とを備え、
前記ケーキ押出板の前記一面側に配置された前記押出板貫通部の他端側には該押出板貫通部内の流路を前記ケーキ押出板と前記バスケットの底壁部との間の隙間内に開口させる開口部が設けられ、
前記排液装置の前記液分導入部は、前記バスケットの回転に伴って生じる遠心力により前記バスケットの外径側に変位させられる可動部と、前記可動部を前記バスケットの内径側に付勢する付勢手段とを備え、
前記バスケット内の気圧が前記設定圧力以下のときに前記バスケット内の液が前記排液装置内の流路を通して前記隙間内に流出するのを阻止し、前記バスケット内の気圧が前記設定圧力を超えているときに前記バスケット内の液が前記排液装置内の流路を通して前記隙間内に流出するのを許容するチェックバルブが前記排液装置に設けられている請求項１又は２に記載の遠心分離装置。
【請求項４】
前記チェックバルブは、前記排液装置内の流路を前記ケーキ押出板と前記バスケットの底壁部との間の隙間内に開口させる開口部側に設けられている請求項３に記載の遠心分離装置。
【請求項５】
前記チェックバルブは、前記排液装置の液分導入部に設けられている請求項３に記載の遠心分離装置。
【請求項６】
前記バスケットの周壁部の各部のうち、後退位置にあるケーキ押出板よりもバスケットの開口部側に位置する部分は、液分を透過させることがないように構成され、前記固液分離処理は、前記バスケットの回転に伴って生じる遠心沈降作用により行われる請求項１ないし５の何れか一つに記載の遠心分離装置。
【請求項７】
前記バスケットの周壁部の各部のうち、後退位置にあるケーキ押出板よりもバスケットの開口部側に位置する部分に液を透過させる多数の透孔が形成され、
前記可撓スリーブは、液を透過させる機能を有するフィルタ材料により形成されている請求項２に記載の遠心分離装置。
【発明の詳細な説明】
【技術分野】
【０００１】
本発明は、遠心沈降作用により原液を液分とケーキ分（固形分）とに分離する固液分離処理を行う遠心分離装置に関するものである。
【背景技術】
【０００２】
固液分離処理を行う遠心分離装置としては、高速回転しているバスケット内に原液を供給して、バスケットの周壁部の内周に配置したフィルタとバスケットの周壁部に設けられた多数の透孔とを通して液分をバスケット外に排出することにより、原液を液分とケーキ分とに分離する、ろ過式の遠心分離装置が広く用いられている。
【０００３】
ろ過式の遠心分離装置では、回転しているバスケット内に原液を供給する給液工程と、バスケットの回転に伴って生じる遠心力により液分をバスケット外に排出させる脱液工程とを繰り返すことにより、バスケットの周壁部の内周にケーキ層を形成していくため、ケーキ層を通して脱液を行わせることが必須である。そのため、原液に含まれる結晶がそれほど微細ではなく、ケーキ層の構造が粗で、液をよく透過させる性質を有する場合には、一度の固液分離処理で多くの結晶を得ることができるが、原液に含まれる結晶が微細で、ケーキ層が緻密な構造を有する場合には、ケーキ層がある程度厚くなると、ケーキ層を通して脱液を行うことができなくなるため、一度の固液分離処理で得られるケーキの量が制限され、固液分離処理を効率良く行うことができない。
【０００４】
原液に含まれる結晶が緻密であっても固液分離処理を行うことができる遠心分離装置として、周壁部に透過孔を有しないバスケットを用いて、遠心沈降作用により原液を液分とケーキ分とに分離するバスケット型の遠心分離装置が知られている。この種の遠心分離装置（遠心沈降分離装置とも呼ばれる。）においては、高速回転しているバスケット内に原液を供給して、液分よりも比重が大きいケーキ分を遠心力によりバスケットの周壁部側に沈降させてバスケットの周壁部の内側にケーキ層を形成し、このケーキ層の内側に上澄み液層を形成する。バスケットを所定時間の間高速回転させてケーキ層と上澄み液層との分離を十分に行わせた後、バスケット内に存在する上澄み液をバスケット外に排出し、次いでバスケット内に形成されたケーキ層を外部に排出する。
【０００５】
従来の遠心沈降分離装置においては、例えば特許文献１に示されているように、バスケット内からの上澄み液の排出を、高速回転しているバスケットの開口部から上澄み液層内にスキミングパイプを挿入することにより行っていた。
【０００６】
また特許文献２に示されているようなデカンタ型の遠心沈降分離装置も知られている。この分離装置は、高速回転させられる分離筒と、分離筒の内側に配置されて分離筒よりも遅い速度で回転させられるスクリューコンベアとを備えていて、高速回転している分離筒の内周に供給した原液を遠心沈降作用により固形分と液分とに分離し、液分を分離筒の後端部に形成された液体排出口から外部に排出するとともに、分離筒の内周に形成された固形分をスクリューコンベアにより分離筒の前端側に移動させて分離筒の先端の固形分排出口から外部に排出する。
【０００７】
またバスケット型の遠心分離装置においては、ろ過式の構成をとる場合も、遠心沈降式の構成をとる場合も、バスケット内に形成されたケーキをいかに効率良くバスケット外に排出して回収するかということが問題になる。バスケット内に形成されたケーキを効率よく回収することを狙ったろ過式の遠心分離装置として、特許文献３に示されているように、バスケットの周壁部とケーキ層との間に介在するろ布を反転させることにより、バスケット内に形成されたケーキのほぼ全量をバスケット外に排出することを可能にした、ろ布反転式の遠心分離装置が知られている。この遠心分離装置では、バスケットの開口部を蓋で閉じた状態で固液分離処理を行うため、バスケット内にスキミングパイプを挿入することができず、バスケット内に形成された上澄み液をバスケット外に排出することができない。そのため、従来のろ布反転式の遠心分離装置を用いて遠心沈降作用を利用した固液分離処理を行うことはできず、微細な結晶を含む原液の固液分離処理を行う目的で、従来のろ布反転式の遠心分離装置を用いることはできない。
【先行技術文献】
【特許文献】
【０００８】
【特許文献１】特開昭５７−１１７３５６号公報
【特許文献２】特開昭６０−２５５６２号公報
【特許文献３】特開平１−２４９１４６号公報
【発明の概要】
【発明が解決しようとする課題】
【０００９】
最近、微細な結晶粒子を含む原液の固液分離処理を行うことの必要性が高まりつつある。前述のように、微細な結晶を含む原液の固液分離処理を行う遠心分離装置として、遠心沈降分離装置が知られているが、従来のこの種の遠心分離装置では、バスケット内に形成された上澄み液を排出するために、高速回転しているバスケットの開口部から上澄み液層中にスキミングパイプを挿入した際に、上澄み液層で波うちが生じてバスケットに大きな衝撃が加わるため、バスケットの振動が大きくなって運転を継続することが困難になったり、分離したケーキ分が上澄み液中に溶け出して上澄み液が混濁するといった問題が生じていた。
【００１０】
また従来の遠心沈降分離装置では、バスケット内から上澄み液を排出した後、バスケット内からケーキを回収する作業を、手作業を借りて行っていたため、ケーキの回収を効率よく行うことができなかった。
【００１１】
前述のように、バスケット内からのケーキの回収を効率よく行うことができる、ろ過式の遠心分離装置として、ろ布反転式の遠心分離装置が知られているが、従来のこの種の遠心分離装置は、バスケット内に形成された上澄み液を排出するための手段を持たなかったため、遠心沈降作用を利用した固液分離処理を行う目的には使用することができなかった。
【００１２】
特許文献２に示されているようなデカンタ型の遠心沈降分離装置によれば、液分とケーキ分との分離を連続に行うことができるが、この種の遠心分離装置では、液分とケーキ分とを十分に分離することができないため、液分を含まない微細な結晶からなるケーキを得る目的にこの種の遠心分離装置を用いることはできない。
【００１３】
本発明の目的は、バスケットの振動が大きくなって運転を継続することが困難になったり、分離したケーキ分が上澄み液中に溶け出して上澄み液が混濁するといった問題を生じさせることなく遠心沈降作用を利用した固液分離処理を行うことができるだけでなく、バスケット内からの上澄み液の回収及びケーキの回収を容易に行うことができるようにして、遠心沈降作用を利用した固液分離処理を円滑にかつ効率よく行うことができるようにした遠心分離装置を提供することにある。
【課題を解決するための手段】
【００１４】
本発明は、周壁部を有し、軸線方向の一端が底壁部で閉じられ、軸線方向の他端側に開口部が設けられたバスケットを回転させて、該バスケット内に供給した原液を遠心沈降作用により液分とケーキ分とに分離する遠心分離装置を対象としたものである。
【００１５】
本発明に係る遠心分離装置は、一面及び他面をそれぞれバスケットの底壁部側及び該底壁部と反対側に向けた状態でバスケットとともに回転するように設けられるとともに、前記一面がバスケット内でバスケットの底壁部に隙間を介して対向した状態になる位置に設定された後退位置とバスケットの開口部又は該開口部の前方に設定された前進位置との間をバスケットの軸線方向に沿って変位し得るように設けられたケーキ押出板と、ケーキ押出板が後退位置にあるときにバスケットの開口部を気密に閉じ、ケーキ押出板が前進位置に向けて変位していく過程でバスケットの開口部を開く蓋板と、一部がケーキ押出板を貫通した状態でケーキ押出板に取り付けられて、ケーキ押出板の他面側からケーキ押出板を貫通してケーキ押出板の一面側に液を流す流路を内部に有する排液装置と、ケーキ押出板の一面とバスケットの底壁部との間の隙間内に臨む位置でバスケットを貫通した排液孔とを備えていて、ケーキ押出板を後退位置に位置させて蓋板により前記バスケットの開口部を閉じた状態でバスケット内の気圧を外気圧よりも高い設定圧力以上の圧力とすることによりバスケット内に存在する上澄み液を排液装置内の流路と排液孔とを通してバスケットの外部に排出し、ケーキ押出板を後退位置から前進位置まで変位させてバスケット内のケーキをバスケットから押し出すことにより、バスケット内のケーキを外部に排出するように構成される。
【００１６】
上記のように構成すると、排液装置がバスケットと同じ速度で回転しながら上澄み液を外部に排出するため、バスケットに衝撃を与えたり、上澄み液を波立たせたりすることなく、バスケット内の上澄み液をバスケット外に排出することができる。また上澄み液の排出を終了した後、ケーキ押出板によりバスケット内のケーキを押し出すことによりケーキをバスケット外に排出することができるため、バスケット内からのケーキの回収を容易に行うことができる。
【００１７】
ケーキ押出板とバスケットの底壁部との間に排出された液分のバスケット外への排出を容易にするため、前記排液孔は、バスケットの周壁部の底壁部寄りの部分を貫通させた状態で設けるのが好ましい。
【００１８】
本発明の好ましい態様では、ケーキ押出板の前進位置がバスケットの開口部の前方に設定され、柔軟性を有する材料により筒状に形成されてバスケットの開口部に一端が固定されるとともに、ケーキ押出板の外周部に他端が固定されてケーキ押出板が後退位置にあるときにバスケットの周壁部の内周を覆った状態で配置され、ケーキ押出板が後退位置から前進位置に向けて変位する過程で反転させられる可撓スリーブが設けられる。
【００１９】
上記可撓スリーブは、バスケット内のケーキを外部に排出する際にケーキの排出を容易にするために反転させられるという点で、従来のろ布反転式遠心分離装置で用いているろ布に類似しているが、上記可撓スリーブは、フィルタとしての機能を有している必要がない点で、従来のろ布反転式遠心分離装置で用いているろ布とは相違する。
【００２０】
このように可撓スリーブを設けた場合には、バスケット内からケーキを回収する際に、ケーキ押出板をバスケットとともに回転させながら後退位置から前進位置まで変位させて、ケーキ押出板によりバスケット内のケーキを押し出すとともに、ケーキ押出板の前進に伴って可撓スリーブを反転させて、可撓スリーブに付着していたケーキを遠心力により脱落させることができるため、バスケット内のすべてのケーキをバスケットの外部に排出して、ケーキの回収率を高くすることができる。
【００２１】
本発明の他の好ましい態様では、前記排液装置が、バスケットの回転中心軸線から偏心した位置で該ケーキ押出板をバスケットの軸線方向に沿って貫通した部分を有してケーキ押出板の他面側からケーキ押出板を貫通してケーキ押出板の一面側に液を流す流路を内部に有する押出板貫通部と、ケーキ押出板の他面側に配置された押出板貫通部の一端に後端部が接続されるとともに、先端部がバスケットの周壁部に向けられた状態で設けられて、先端がバスケットの周壁部側に開口し後端が押出板貫通部内の流路に連通した流路を内部に有する液分導入部とを備え、ケーキ押出板の前記一面側に配置された押出板貫通部の他端側には該押出板貫通部内の流路をケーキ押出板とバスケットの底壁部との間の隙間内に開口させる開口部が設けられている。
【００２２】
この場合排液装置の液分導入部は、バスケットの回転に伴って生じる遠心力によりバスケットの外径側に変位させられる可動部と、この可動部をバスケットの内径側に付勢する付勢手段とを備えた構成とする。またバスケット内の気圧が前記設定圧力以下のときにバスケット内の液が排液装置内の流路を通して前記隙間内に流出するのを阻止し、バスケット内の気圧が設定圧力を超えているときにバスケット内の液が排液装置内の流路を通して前記隙間内に流出するのを許容するチェックバルブを排液装置に設けておく。
【００２３】
上記のように排液装置を構成して、バスケット内に供給した原液を液分とケーキ分とに分離する固液分離処理を行った後、排液装置の可動部をバスケット内の上澄み液内に開口させた状態で、バスケット内に高圧ガスを供給してバスケット内の圧力を外気圧よりも高い設定圧力以上の圧力とすると、チェックバルブが開いて排液装置内の流路を通して液分が流れるのを許容した状態になるため、バスケット内に存在する上澄み液を排液装置内の流路を通してケーキ押出板とバスケットの底壁部との間の隙間内に排出することができ、この隙間内に排出された液分を排液孔を通してバスケットの外部に排出することができる。バスケットを加速することにより、最終的に排液装置の可動部をケーキ層に接する位置まで変位させることができるため、バスケット内の上澄み液の殆どすべてをバスケット外に排出することができる。
【００２４】
本発明のその他の態様は、以下に示す本発明の実施形態についての説明により明らかにされる。
【発明の効果】
【００２５】
本発明によれば、バスケット内でバスケットの底壁部に隙間を介して対向した状態になる位置に設定された後退位置とバスケットの開口部又は該開口部の前方に設定された前進位置との間をバスケットの軸線方向に沿って変位し得るように設けられてバスケットと共に回転するケーキ押出板に排液装置を取り付けて、バスケット内を高圧状態にすることにより、バスケット内に形成された上澄み液をバスケットと共に回転する排液装置内の流路と、ケーキ押出板とバスケットの底壁部との間の隙間と、バスケットに設けられた排液孔とを通してバスケット外に排出するようにしたので、バスケットになんら衝撃を与えることなく、また上澄み液を波立たせることなく、上澄み液の排出を円滑に行わせることができる。またケーキ押出板によりバスケット内のケーキを押し出すことによりケーキをバスケット外に排出することができるため、ケーキの回収を容易に行うことができる。
【００２６】
また本発明において、ケーキ押出板の前進位置をバスケットの開口部の前方に設定して、柔軟性を有する材料により筒状に形成された可撓スリーブの一端をバスケットの開口部に固定するとともに、該可撓スリーブの他端をケーキ押出板の外周部に固定しておくようにした場合には、ケーキ押出板を後退位置から前進位置まで変位させてケーキ押出板によりバスケット内のケーキを押し出しながら可撓スリーブを反転させることにより、バスケット内のすべてのケーキをバスケットの外部に排出することができるため、ケーキの回収率を高くすることができる。
【図面の簡単な説明】
【００２７】
【図１】図１は、本発明の実施形態において、ケーキ押出板が後退位置に配置されている状態を示した縦断面図である。
【図２】図２は、本発明の実施形態において、ケーキ押出板が前進位置まで変位した状態での要部の構成を示す縦断面図である。
【図３】図３は、図１のＡ部の拡大図である。
【図４】図４は、図１のＢ部の拡大図である。
【発明を実施するための形態】
【００２８】
以下図面を参照して本発明の一実施形態を詳細に説明する。図１を参照すると、本実施形態において、ケーキ押出板が後退位置にある状態での装置の全体的な構成が示されており、図２を参照すると、ケーキ押出板が前進位置にある状態での装置の要部の構成が示されている。図１及び図２において、１は周壁部１０１と該周壁部の軸線方向の一端を閉じる底壁部１０２と周壁部１０１の軸線方向の他端に形成された開口部１０３とを有する円筒状のバスケットである。バスケット１は、その周壁部の中心軸線を水平方向に向けた状態で配置されていて、後述する回転駆動機構により、周壁部１０１の中心軸線を中心にして回転するように駆動される。
【００２９】
バスケット１内からのケーキの排出を容易にするため、バスケット１の周壁部１０１には、バスケットの底壁部１０２側から開口部１０３側に向かうに従って徐々に内径が大きくなっていく向きのテーパが付けられており、バスケット１の内径は、バスケットの底壁部１０２側から開口部１０３側に向かうに従って徐々に大きくなっている。
【００３０】
図１及び図２において、２は、バスケット１とともに回転しながらバスケット１の軸線方向に変位させられる円板状のケーキ押出板である。本実施形態では、ケーキ押出板２の両主面のうちの一方及び他方をそれぞれ該ケーキ押出板の一面２ａ及び他面２ｂ（図４参照）とする。
【００３１】
ケーキ押出板２は、その一面２ａ及び他面２ｂをそれぞれバスケット１の底壁部１０２側及び該底壁部１０２と反対側に向けた状態で、かつ回転の中心軸線をバスケット１の回転中心軸線に一致させた状態でバスケット１とともに回転するように設けられていて、その一面２ａがバスケット１内でバスケット１の底壁部１０２に隙間ｄを介して対向した状態になる位置に設定された後退位置（図１及び図４に示す位置）と、バスケット１の開口部１０３の前方に設定された前進位置（図２に示す位置）との間をバスケット１の軸線方向に沿って直線変位し得るように設けられている。ケーキ押出板２の外径は、後退位置にあるケーキ押出板２の外周に対向するバスケットの周壁部１０１の内径よりも僅かに小さく設定されている。ケーキ押出板２は、後述するリニア駆動機構により、後退位置と前進位置との間で直線往復変位するように駆動される。
【００３２】
バスケット１内の空間のうち、ケーキ押出板２が後退位置にあるときにケーキ押出板２とバスケット１の底壁部１０２との間の隙間ｄを構成する部分により、バスケット１内に形成された上澄み液を排出する排液室Ａ１が構成される。またケーキ押出板２が後退位置にあるときに，バスケット１内の空間のうち、ケーキ押出板２よりも開口部１０３側に位置する部分に形成される空間により固液分離処理室Ａ２が構成されており、この処理室Ａ２内で固液分離処理が行われる。
【００３３】
３は、ケーキ押出板２が後退位置にあるときにバスケット１の開口部１０３を閉じ、ケーキ押出板２が前進位置に向けて変位していく過程でバスケット１の開口部１０３を開く円板状の蓋板である。本実施形態では、バスケット１内に形成された上澄み液を排出する際に、バスケット１内の気圧を外気圧よりも高い圧力とするため、蓋板３はバスケット１の開口部を気密に閉じることができるように構成される。
【００３４】
図示の蓋板３は、バスケット１の軸線方向に延びるように設けられてバスケット１の周方向に等角度間隔をあけて配置された複数の連結棒４によりケーキ押出板２に連結されていて、ケーキ押出板２が後退位置にあるときにバスケット１の開口部１０３を気密に閉じた状態になる閉位置（図１に示された位置）に配置され、ケーキ押出位置２が前進位置に達したときにバスケット１の開口部の前方に設定された退避位置（図２に示された位置）に配置される。
【００３５】
蓋板３の外周寄りの部分にはパッキンなどのシール手段が取り付けられていて、蓋板３が閉位置にあるときに該シール手段が蓋板３とバスケット１の開口部１０３との間に介在して、バスケットの開口部１０３と蓋板３との突き合わせ部の気密を保持するようになっている。蓋板３は、後述するリニア駆動機構によりケーキ押出板２が駆動された際に、該ケーキ押出板２ととともに直線変位させられる。
【００３６】
本発明に係る遠心分離装置においては、固液分離処理を行う際にバスケット１内に原液を供給する原液供給手段と、バスケット１内から上澄み液を排出する際に外気圧（通常は大気圧）よりも高い圧力の高圧ガスをバスケット１内に供給する高圧ガス供給手段とを備える必要がある。これらの手段を構成するため、蓋板３の中央部にフィードパイプ導入部５が形成され、この導入部を通してフィードパイプ６がバスケット１内に導入される。フィードパイプ６は、少なくとも原液供給源と高圧ガス供給源とに選択的に接続されるようになっており、フィードパイプ６と原液供給源とにより、バスケット１内に原液を供給する原液供給手段が構成される。またフィードパイプ６と高圧ガス供給源とにより、バスケット１内に高圧ガスを供給する高圧ガス供給手段が構成される。フィードパイプ６とフィードパイプ導入部５との間にはフィードパイプ６の貫通部の気密及び液密を保持するためのシール部材が設けられる。本実施形態では、フィードパイプ６が蓋板３を貫通する部分の気密及び液密の保持を容易にするため、フィードパイプ６がバスケット１とともに回転するように設けられている。
【００３７】
図３を参照すると、蓋板３の中央部に設けられたフィードパイプ導入部５と、この導入部を通してバスケと内に導入されるフィードパイプ６の先端寄りの部分とが図示されている。フィードパイプ導入部５は、蓋板３の中央部を貫通して設けられた貫通孔５０１と、貫通孔５０１を貫通した管状部５０２ａと管状部５０２ａの一端に形成されたフランジ部５０２ｂとを有するパイプ受け部材５０２と、パイプ受け部材５０２の管状部５０２ａの内側に保持されたシール部材５０３と、パイプ受け部材５０２のフランジ部５０２ｂに当接された座金５０５と、座金５０５とフランジ部５０２ｂとを共締めして蓋板３に締結するボルト５０６とからなっていて、フィードパイプ６がシール部材５０３を貫通した状態でバスケット内に導入されている。
【００３８】
シール部材５０３は、フィードパイプ６と蓋板３との間に相対的な直線運動が生じるのを許容しつつ、フィードパイプ６の貫通部の気密及び液密を保持するための部材で、このシール部材としては、例えば、汎用のエアシリンダにおいてシリンダとピストンとの間の摺動部をシールするために用いられるピストンパッキンや、ピストンロッドとシリンダとの間の摺動部をシールするために用いられるロッドパッキングと同様のものを用いることができる。フィードパイプ６とシール部材５０３とは緊密に嵌合しているため、バスケット１及びケーキ押出板２とともに蓋板３が回転すると、その回転に従動してフィードパイプ６も回転する。
【００３９】
図１、図２及び図４に示されているように、バスケット１の周壁部１０１の底壁部１０２寄りの部分には、複数の排液孔ｈが、バスケット１の周方向に間隔をあけた状態で設けられている。排液孔ｈは、バスケットの周壁部１０１の、ケーキ押出板２と底壁部１０２との間の隙間ｄ（排液室Ａ１）に臨む部分を貫通した状態で設けられていて、固液分離処理室Ａ２から、後述する排液装置を通して排液室Ａ１内に排出された上澄み液をバスケット外に排出するために用いられる。
【００４０】
バスケット１の周壁部の各部のうち、後退位置にあるケーキ押出板２とバスケットの開口部１０３との間に形成されるバスケット内の空間（固液分離処理室Ａ２）に臨む部分には、液分を通過させ得る孔が一切設けられておらず、ケーキ押出板２を後退位置に位置させた状態でバスケット１内の固液分離処理室Ａ２内に原液を供給して固液分離処理を行う際に、バスケットの周壁部を通してろ過（排液）が行われることはないようになっている。
【００４１】
フィードパイプ６は、バスケット１の開口部の前方にケーキ回収室を構成する部材にロータリジョイントを介して支持される。バスケット１の開口部の前方にケーキ回収室を構成する部材及びフィードパイプ６の支持構造については後述する。
【００４２】
本実施形態では、バスケット１内の固液分離処理室Ａ２内に層をなして形成されたケーキの排出を容易にするために、布などの柔軟性を有する材料により筒状に形成された可撓スリーブ７が設けられている。可撓スリーブ７の一端は、バスケット１の開口部１０３の内周部に沿わせた状態で配置されてバスケットの開口部１０３に適宜の手段により固定され、可撓スリーブ７の他端は、ケーキ押出板２の外周に沿わせた状態で配置されて、ケーキ押出板の外周部に適宜の手段により固定されている。可撓スリーブ７は、ケーキ押出板２が後退位置にあるときにバスケット１の周壁部１０１の内周を覆った状態で配置され、ケーキ押出板２が後退位置から前進位置に向けて移動する過程で反転させられる。可撓スリーブ７は、図２に示すように、ケーキ押出板２が前進位置に達したときに完全に反転されて、ケーキ押出板２とバスケット１の開口部との間に張り渡された状態になる。
【００４３】
本実施形態では、バスケット１の周壁部１０１の内周に添わせた状態で筒状の内張シート８（図４参照）が配置され、ケーキ押出板２が後退位置にあるときに、可撓スリーブ７が、シート８を介してバスケットの周壁部１０１の内周を覆うようになっている。なおシート８は省略することもできる。
【００４４】
本実施形態では、バスケット１の周壁部１０１の固液分離処理室Ａ２を構成する部分に液分を透過させる透孔が設けられていないため、固液分離処理は、ろ過作用ではなく、もっぱら遠心沈降作用により行われる。遠心沈降作用による固液分離処理では、原液に含まれる成分のうち、比重が大きいケーキ分を遠心力によりバスケットの周壁部１０１により近い領域に沈降堆積させてバスケットの周壁部の内周にケーキ層Ｃ（図４参照）を形成し、このケーキ層Ｃの内側に比重が小さい液分の層を上澄み液層Ｗ（図４参照）として形成する。
【００４５】
バスケット１内への原液の供給を開始した際に、後退位置にあるケーキ押出板２の外周部とバスケットの周壁部１０１の内周部との間の隙間を通して固液分離処理室Ａ２から排液室Ａ１側に原液が浸透するのを防ぐため、ケーキ押出板２が後退位置にあるときに、該ケーキ押出板２の外周面とバスケットの周壁部１０１の内周面との間に液の移動を許容する隙間が形成されないようにするための措置を講じておくことが好ましい。ケーキ押出板２の外周部にパッキンを取り付けておいてもよいが、本実施形態では、ケーキ押出板２が後退位置にあるときに可撓スリーブ７のケーキ押出板２側の端部をケーキ押出板２の外周部とバスケット１の周壁部１０１の内周部との間に介在させて、後退位置にあるケーキ押出板２とバスケットの周壁部１０１との間の隙間を塞ぐことにより、固液分離処理の開始時に固液分離処理室Ａ２側から排液室Ａ１側に液分が移動するのを防いでいる。
【００４６】
なお後退位置にあるケーキ押出板の外周部とバスケットの周壁部１０１の内周部との間に多少の隙間があっても、固液分離処理が進んでバスケット１の周壁部の内側にケーキ層が形成されていくと、該ケーキ層により、ケーキ押出板２の外周部とバスケット１の周壁部１０１の内周部との間の隙間が塞がれるため、固液分離処理室Ａ２から排液室Ａ１側への液分の移動は阻止される。従って，本発明において、ケーキ押出板２の外周部とバスケット１の周壁部１０１の内周部との間の隙間を塞ぐ手段を講じることは必須ではない。
【００４７】
バスケット１内に形成されたケーキ層を外部に排出（回収）する際には、ケーキ押出板２を前進位置に向けて変位させて、固液分離処理室Ａ２内に形成されているケーキ層Ｃをケーキ押出板２により押してバスケット１の開口部１０３から押し出し、バスケットの開口部の前方に用意したケーキ回収室内に落下させる。またケーキ押出板２をバスケット１の開口部を通して前進位置まで変位させる過程で、可撓スリーブ７を反転させて、可撓スリーブ７に付着しているケーキをケーキ回収室内に落下させる。可撓スリーブ７は、ケーキ押出板２が前進位置に達したところで図２に示したように完全に反転された状態になる。可撓スリーブ７は、バスケットと共に回転しているため、図２に示したように可撓スリーブ７を完全に反転させた状態で一定時間バスケットを回転させることにより、可撓スリーブ７に付着していたケーキ分を遠心力により可撓スリーブ７から脱落させてほぼ完全に回収することができる。
【００４８】
上記のようにしてバスケット内に生成されたケーキを回収した後、ケーキ押出板２を後退位置に向けて変位させる。ケーキ押出板２を後退位置に向けて変位させると、可撓スリーブ７は、ケーキ押出板２の変位に伴って非反転状態に戻されていき、ケーキ押出板２が後退位置に達したところでバスケットの周壁部の内周を覆った状態に戻される。
【００４９】
固液分離処理室Ａ２内にケーキ層Ｃと上澄み液層Ｗとが形成された後、ケーキ層をバスケットから排出して回収する前に、蓋板３により密閉されたバスケット内に存在する上澄み液をバスケットの外部に排出する必要がある。本実施形態においては、密閉されたバスケット内からの上澄み液の排出を可能にするため、ケーキ押出板２に、複数の排液装置９が、ケーキ押出板２の中心部よりも外周寄りの領域に位置させて取り付けられている。バスケットの重量バランスを乱さないようにするため、複数の排液装置９は、バスケット１の周壁部１０１の周方向に等角度間隔をあけて並べた状態で取り付けるのが好ましい。ケーキ押出板２に排液装置９を取り付けることにより、バスケットの重量バランスが崩れる場合には、バスケットにバランスウェイトを取り付ける等の方法により、バスケットの重量バランスをとるのが好ましい。
【００５０】
本実施形態で用いる排液装置９は、一部がケーキ押出板２を貫通した状態でケーキ押出板２に固定されて、ケーキ押出板２の他面２ｂ側から（固液分離処理室Ａ２側から）一面２ａ側（排液室Ａ１側）に液を流す流路をその内部に形成する。
【００５１】
図４に示されているように、本実施形態で用いる排液装置９は、バスケット１の回転中心軸線から偏心した位置でケーキ押出板２をバスケット１の軸線方向に沿って貫通した部分を有して、ケーキ押出板２の他面２ｂ側からケーキ押出板２を貫通してケーキ押出板２の一面２ａ側に液を流す流路を内部に有する押出板貫通部９Ａと、ケーキ押出板２の他面側に配置された押出板貫通部９Ａの一端に後端部が接続されるとともに、先端部がバスケットの周壁部１０１に向けられた状態で設けられた液分導入部９Ｂとを備えている。液分導入部９Ｂの内部には、先端がバスケットの周壁部１０１側に開口し、後端が押出板貫通部９Ａ内の流路に連通した流路が形成されている。
【００５２】
図示の押出板貫通部９Ａは、ケーキ押出板２をバスケット１の軸線方向に沿って貫通した直管部分９０１と、隙間ｄ内をバスケットの径方向に伸びるように設けられて後端部が直管部分９０１の隙間ｄ内に導出された端部に接続された径方向管路部９０２とを有するＬ字形の管からなっていて、その径方向管路部９０２の先端部に、後述するチェックバルブの弁座を構成する拡大径部９０２ａが形成されている。この拡大径部９０２ａの先端の開口部が、押出板貫通部９Ａ内の流路をケーキ押出板２とバスケットの底壁部１０２との間の隙間ｄ内に開口させる開口部となっている。
【００５３】
本実施形態で用いている排液装置９の液分導入部９Ｂは、バスケット１の径方向に沿って延びるように設けられた基管部９０３と、該基管部９０３にスライド自在に支持されてバスケット１の回転に伴って生じる遠心力によりバスケット１の外径側（図４において上側）に変位させられる可動部９０４と、可動部９０４をバスケット１の内径側（図４において下側）に付勢する付勢手段とを備えている。
【００５４】
図示の例では、基管部９０３の軸線方向に並べた状態で基管部９０３の外周にスライド自在に嵌合されて互いにネジ結合された２つの管状部材９０５及び９０６により可動部９０４が構成されている。２つの管状部材９０５及び９０６のうち、バスケットの中心部側に配置された管状部材９０５および周壁部１０１側に配置された管状部材９０６をそれぞれ第１の管状部材および第２の管状部材とする。
【００５５】
可動部９０４の内周面と基管部９０３の外周面との間には隙間が形成されていて、この隙間内に、基幹部９０３の外周に嵌合された圧縮バネ９０７が配置され、バスケット１の周壁部１０１側に向いた圧縮バネ９０７の一端９０７ａが基管部９０３の外周に溶接等の適宜の手段により固定されている。またバスケット１の周壁部１０１と反対側に向いた圧縮バネ９０７の他端９０７ｂは、第２の管状部９０６と反対側に位置する第１の管状部材９０５の後端部から内径側に突出したバネ受け部９０５ａにより受け止められ、バネ９０７により、可動部９０４がバスケットの周壁部１０１の内径側に付勢されている。本実施形態では、バネ９０７により、可動部９０４をバスケットの内径側（バスケットの中心部に向かう側）に付勢する付勢手段が構成されている。
【００５６】
押出板貫通部９Ａの径方向管路部９０２の先端に形成された拡大径部９０２ａには、バスケット１内の気圧が設定圧力以下のときに排液装置９内の流路を閉鎖してバスケット１内に形成された上澄み液が排液装置９内の流路を通して隙間ｄ内に流出するのを阻止し、バスケット１内の気圧が前記設定圧力を超えているときに排液装置９内の流路を開いてバスケット１内の上澄み液が排液装置９内の流路を通して隙間ｄ内に流出するのを許容するチェックバルブ９１０が取り付けられている。
【００５７】
図示のチェックバルブ９１０は、排液装置９の押出板貫通部９Ａの径方向管路部９０２の先端の拡大径部９０２ａの外周に嵌合されて、一端が拡大径部９０２ａに溶接された円筒状のバルブハウジング９１１と、バルブハウジング９１１内にスライド自在に嵌合された状態で収納されて径方向管部９０２の先端に形成された拡大径部９０２ａの先端面（弁座）に当接した弁体９１２と、バルブハウジング９１１内に挿入されて一端が弁体９１２により受け止められたコイルスプリング９１３と、外周に雄ネジ部を有して、該雄ネジ部がバルブハウジング９１１の他端寄りの部分の内周に形成された雌ネジ部に螺合された管状のバネ押え部材９１４とからなっており、バネ押え部材９１４と弁体９１２との間に圧縮された状態で配置されたコイルスプリング９１３により、弁体９１２が拡大径部９０２ａ側に付勢されている。
【００５８】
図示のチェックバルブ９１０は以下のように動作する。バスケット１内の気圧が設定圧力以下のときには、コイルスプリング９１３の付勢力により弁体９１２が拡大径部９０２ａの先端面（弁座）に当接した状態に保持されるため、チェックバルブ９１０は、排液装置９内の流路を閉じた状態を保持している。この状態では、バスケット内の上澄み液が排液装置９内の流路を通してケーキ押出板２とバスケットの底壁部１０２との間の隙間ｄ内に排出されることはない。
【００５９】
バスケット１内の気圧が設定圧力を超え、排液装置９内の流路内の液体を通して弁体９１２に所定の力が加わると、弁体９１２がコイルスプリング９１３の付勢力に抗して拡大径部９０２ａの先端面から離れる方向に変位するため、チェックバルブ９１０は、排液装置９内の流路を開いた状態になり、バスケット内の上澄み液が排液装置９内の流路を通して隙間ｄ内に排出されるのを許容した状態になる。チェックバルブ９１０が開くときのバスケット内の圧力は、バネ押え部材９１４を回転させて、コイルスプリング９１３の付勢力を調整することにより適宜に調整することができる。
【００６０】
図示の排液装置９において、可動部９０４は、バネ９０７によりバスケット１の内径側に付勢され、バスケット１が停止しているときには図４に示された初期位置に配置されている。可動部９０４の初期位置は、その先端の開口端９０４ｔが、バスケットの周壁部１０１の内側に形成されるケーキ層Ｃの内周面の固液分離処理終了時における規定位置（図４参照）よりも更に内径側の位置に設定されている。
【００６１】
バスケット１の回転速度が設定速度よりも低いときには、バスケット１の回転により可動部９０４に作用する遠心力よりもバネ９０７の付勢力の方が強いため、可動部９０４は初期位置に保持されている。バスケット１の回転速度が設定速度を超え、可動部９０４を付勢する遠心力がバネ９０７による付勢力を超えると、可動部９０４がバスケット１の周壁部側への変位を開始する。従って、固液分離処理が終了した後、バスケット１の回転速度を上昇させていくことにより、可動部９０４をバスケット内の上澄み液層Ｗ内に浸漬した状態でケーキ層Ｃに向けて変位させることができる。可動部９０４は、最終的にはバスケット内に形成されているケーキ層Ｃの内周面に接して（軟着陸して）停止する。
【００６２】
バスケット１内で固液分離処理が行われて固液分離処理室Ａ２内にケーキ層Ｃと上澄み液層Ｗとが形成されたときに、バスケット１を加速して排液装置９の可動部９０４を上澄み液層Ｗ内に進入させると共に、フィードパイプ６からバスケット１内に高圧ガスを供給して、バスケット１内の気圧を外気圧よりも高い設定圧力以上にする。バスケット１内の気圧を設定圧力以上にすると、チェックバルブ９１０が開いて排液装置９内の流路を開くため、バスケット１内に存在する上澄み液をケーキ押出板２とバスケットの底壁部１０２との間に形成された排液室Ａ１内に排出することができ、排液室Ａ１内に排出された上澄み液はバスケット１の回転により生じる遠心力によりバスケット１の周壁部側に飛ばされて、排液孔ｈからバスケット外に排出される。排液装置９の可動部９０４は最終的にケーキ層Ｃに接する位置に達するため、バスケット内に存在していた上澄み液の殆どすべてをバスケット外に排出して回収することができる。
【００６３】
可動部９０４の初期位置は、固液分離処理の終了時に可動部９０４の開口端９０４ｔを、バスケット内に形成される上澄み液層Ｗの内周面よりも内径側に位置させておくように設定してもよく、図４に示したように、固液分離処理の終了時に可動部９０４の開口端９０４ｔを、バスケット内に形成されている上澄み液層Ｗの内周面よりも外径側に位置させるように（可動部９０４の開口端９０４ｔが上澄み液層中に浸漬された状態になるように）設定してもよい。
【００６４】
バスケット１と、ケーキ押出板２及び蓋板３とを駆動するため、駆動装置１０（図１参照）が設けられている。駆動装置１０は、回転自在に設けられて一端がバスケット１の底壁部１０２に結合された主軸１１を回転駆動してバスケット１を回転させる回転駆動機構と、主軸１１の内側にスラスト自在に設けられて先端がケーキ押出板２に連結されたスラスト軸１２を駆動してケーキ押出板２及びバスケット蓋３をバスケット１の軸線方向に直線往復駆動するリニア駆動機構とを備えている。
【００６５】
駆動装置１０を収容するため、ハウジング１３が設けられている。駆動装置１０を収容したハウジング１３は、設置面Ｓ上に配置されたベースＢと、水平な板面を有し、ベースＢの上に固定された板状のベースフレーム１４と、ベースフレーム１４と板面が直交するように配置されてベースフレーム１４に下端が溶接等により固定された主フレーム１５とを有している。
【００６６】
主フレーム１５は、ベースフレーム１４の前端から垂直上方に起立した前側壁部１５Ａと、ベースフレーム１４の幅方向（図１の紙面と直交する方向）の両端から垂直上方に起立した一対の側壁部１５Ｂ，１５Ｂとにより、横断面がコの字形を呈するように構成されている。フレーム１５に駆動装置１０の主要部を覆うカバー１６が固定されており、主フレーム１５とカバー１６とにより、駆動装置１０の主要部を収容するハウジング１３が構成されている。主フレーム１５の側壁部１５Ｂ，１５Ｂには、駆動装置１０の保守点検等を行う際に用いる開口部や、該開口部を開閉する扉等が適宜設けられる。
【００６７】
主フレーム１５の前側壁部１５Ａの前方にはバスケット１を収容する円筒状のケーシング２０がその軸線を水平方向に向けた状態で配置され、該ケーシング２０の一端に設けられたフランジ２０ａが主フレーム１５の前側壁部１５Ａに固定されている。ケーシング２０とバスケット１の周壁部１０１との間の空間により液分回収室２１が構成されている。ケーシング２０の下部には排液管２２が接続され、液分回収室２１内に回収された液分が排液管２２を通して外部に回収されるようになっている。
【００６８】
バスケット１を収容したケーシング２０の他端に前面カバー２３が取り付けられている。前面カバー２３の下部には、ケーキ排出用シュート２３Ａが設けられ、バスケット内から回収されたケーキがケーキ排出用シュート２３Ａを通して下方に排出されるようになっている。前カバー２３の内側の空間によりケーキ回収室２４が構成されている。
【００６９】
フィードパイプ６は、その先端がバスケット１の開口端寄りの部分の内側に達する長さを有していて、図１に示すように蓋板３が閉位置にあってバスケット１の開口部を閉じているときに、フィードパイプ６の先端が蓋板３を貫通してバスケット１内に開口した状態になるように、フィードパイプ６の先端位置が設定されている。
【００７０】
フィードパイプ６は、その後端部（バスケット１内に導入される端部とは反対側の端部）が前カバー２３の前端部の側壁２３ａを貫通した状態で設けられて、軸受２５を介して側壁２３ａに回転自在に支持されている。前カバー２３の前端部の側壁２３ａの外側には、回転する管と固定配管との間を連結するロータリジョイント２６が支持部材２７を介して支持されている。軸受２５により前カバー２３に回転自在に支持されたフィードパイプ６の後端部は支持部材２７の内側に配置された継手２８を介してロータリジョイント２６の回転側ジョイントに連結されている。ロータリジョイント２６の固定側ジョイントには原液の供給源と洗浄液の供給源と高圧ガスの供給源とに選択的に接続される固定配管２９が接続され、配管２９とロータリジョイント２６とフィードパイプ６とを通して、バスケット１内に原液、洗浄液及び高圧ガスの何れかが供給されるようになっている。
【００７１】
本実施形態では、フィードパイプ６とロータリジョイント２６と配管２９と図示しない原液供給源とによりバスケット１内に原液を供給する原液供給手段が構成され、フィードパイプ６とロータリジョイント２６と配管２９と図示しない高圧ガス供給源とによりバスケット１内に高圧ガスを供給する高圧ガス供給手段が構成されている。
【００７２】
バスケット１とケーキ押出板２と蓋板３とを駆動する駆動装置１０は、バスケット１をその中心軸線を回転中心として回転させる回転駆動機構と、ケーキ押出板２及び蓋板３をバスケット１とともに回転させながら、バスケット１の軸線方向に駆動するリニア駆動機構とを備えている。
【００７３】
回転駆動機構は、バスケット１の底壁部１０２に結合された中空の主軸１１と、主軸１１を回転駆動する機構とにより構成される。またリニア駆動機構は、主軸１１の中空部内にスラスト自在に設けられたスラスト軸１２と、このスラスト軸を直線変位させる機構とにより構成される。
【００７４】
図示の例では、ベースフレーム１４に支柱３１，３２を介して軸受装置３３が支持され、この軸受装置３３の軸線方向の一端が主フレーム１５の前側壁部１５Ａに結合されている。軸受け装置３３には軸受け３４及び３５が設けられており、これらの軸受けにより、中空の主軸１１がその中心軸線を横方向（水平方向）に向けた状態で、かつその中心軸線をバスケット１の中心軸線に一致させた状態で回転自在に支持されている。
【００７５】
主軸１１の軸線方向の一端は主フレーム１５の前側壁部１５Ａに設けられた孔を通して、前側壁部１５Ａの前方に配置されたバスケット１の底壁部１０２に結合され、主軸１１の軸線方向の他端は軸受け装置３３の軸線方向の他端から外部に導出されている。主軸１１の軸線方向の一端及び他端をそれぞれ主軸１１の前端及び後端とする。
【００７６】
ベースフレーム１４には主軸駆動用モータ４０が支持され、軸受け装置３３の他端から導出された主軸１１の後端部に取り付けられた歯付きプーリ４１と、主軸駆動用モータ４０の回転軸に取り付けられた歯付きプーリ４２とにタイミングベルト４３が巻き掛けされている。主軸１１と、モータ４０と、歯付きプーリ４１及び４２と、タイミングベルト４３とにより、バスケット１をその中心軸線を回転中心として回転駆動する回転駆動機構が構成されている。
【００７７】
スラスト軸１２は、バスケット１と中心軸線を共有した状態で、かつ主軸１１内を軸線方向に貫通した状態で設けられて、その先端がケーキ押出板２に結合されている。スラスト軸１２と主軸１１との間に許容される相対変位を両軸の軸線方向に沿った変位のみに限定するために、主軸１１の一部に該主軸の軸線方向に伸びるスロット１１ａ形成され、スラスト軸１２に固定されたキー４５がスロット１１ａにスライド自在に嵌合されている。主軸１１の前端側及び後端側にそれぞれ配置されたスラスト軸１２の一端及び他端をそれぞれスラスト軸１２の前端及び後端とする。スラスト軸１２の前端は、主軸１１の前端から前方に（バスケット側に）突出して、バスケット１の底壁部１０２に形成された孔を通してバスケット１内に導入されている。
【００７８】
スラスト軸１２の軸心部には、バスケットと反対側に開口し、バスケット側の端部が閉鎖された第１の孔１２ａと、バスケット１側に開口し、バスケット１と反対側の端部が閉鎖された第２の孔１２ｂとが形成され、スラスト軸１２の後端部寄りの部分の内周に固定されたナット５０に螺合されたねじ棒５１が第１の孔１２ａに挿入されている。第２の孔１２ｂは、スラスト軸１２がバスケット１側に前進していく過程で図２に示すようにフィードパイプ６を受け入れるために設けられたものである。
【００７９】
ネジ棒５１は、その後端部側にネジが設けられていない軸部５１ａを有し、この軸部５１ａは、ベースフレーム１４に支柱５２を介して支持されたフレーム５３に固定された筒状部材５４を貫通して外部に導出されている。ネジ棒５１の軸部５１ａにはスプラインを形成する歯部が形成され、歯付きプーリ５５の内周に形成された歯部がネジ棒５１の軸部５１ａに形成された歯部に噛み合わされることにより、ネジ棒５１と歯付きプーリ５５とがスプライン結合されている。
【００８０】
フレーム５３にはスラスト軸駆動用モータ５６が固定され、このモー５６の出力軸に歯付きプーリ５７が取り付けられている。歯付きプーリ５７と、ネジ棒５１にスプライン結合された歯付きプーリ５５とにタイミングベルト５８が巻き掛けされ、モータ５６の回転がベルト５８を介してネジ棒５１に伝達されるようになっている。
【００８１】
歯付きプーリ５５を貫通してバスケット１と反対側に導出されたネジ棒５１の端部にボルト５９によりフランジ板６０が固定され、フランジ板６０と歯付きプーリ５５との間に、ネジ棒５１の軸線方向に並べた状態でネジ棒５１に嵌合された多数の皿バネ６１が配置されている。皿バネ６１はネジ棒５１の軸線方向に圧縮された状態で設けられていて、皿バネ６１によりネジ棒５１とスラスト軸１２とがバスケット１の開口方向と反対方向に（図１において右方向に）付勢されている。皿バネ６１は、バスケット蓋３が閉位置に配置された際に、スラスト軸１２とケーキ押出板２連結棒４とを介して蓋板３をバスケット１側に付勢して、蓋板３を閉位置に確実に保持する作用をする。
【００８２】
図示の例では、ナット５０と、ネジ棒５１と、モータ５６と、プーリ５７及び５５と、ベルト５８とにより、スラスト軸１２を主軸１１に対して前進及び後退させるように駆動するスラスト軸駆動機構が構成され、この駆動機構とスラスト軸１２とにより、ケーキ押出板２及び蓋板３をバスケット１とともに回転させながら、バスケット１の軸線方向に駆動するリニア駆動機構が構成されている。
【００８３】
図示の駆動装置１０において、モータ４０及び５６のうち、モータ４０のみを駆動したとすると、モータ４０の回転により、主軸１１が回転させられ、主軸１１にキー４５を介して結合されたスラスト軸１２が主軸１１とともに回転させられる。スラスト軸１２が回転することにより、該スラスト軸とともにナット５０も回転し、該ナット５０に螺合されているネジ棒５１も回転させられる。ネジ棒５１の回転は、プーリ５５とベルト５８とを通してプーリ５７に伝達されるため、モータ５６の回転軸が回転させられる。この状態では、モータ５６がモータ４０の負荷となっており、モータ５６の回転軸がモータ４０により回転させられる。このように、モータ５６がモータ４０により回転させられる状態では、ネジ棒５１がナット５０及びスラスト軸１２と一緒に回転し、ネジ棒５１とナッ５０との間には相対的な回転が生じないため、スラスト軸１２は主軸１１に対してスラスト運動を行わない。
【００８４】
これに対し、モータ４０を停止させた状態で、モータ５６を駆動すると、ネジ棒５１がナット５０に対して相対的に回転するため、モータ５６の回転方向に応じてナット５０が前進または後退し、ナット５０に対して固定されているスラスト軸１２がナット５０の前進及び後退に伴って前進または後退する。
【００８５】
モータ４０及び５６が同時に駆動されたときには、主軸１１の回転速度とネジ棒５１の回転速度との差に応じて、ネジ棒５１がナット５０に対して相対的に回転し、ネジ棒５１のナット５０に対する回転方向に応じて、スラスト軸１２が前進または後退する。このときスラスト軸１２の変位速度は、ネジ棒５１の回転速度と主軸１１の回転速度との差に比例する。従って、ネジ棒５１の回転速度を主軸１１の回転速度よりも高くしたり、低くしたりすることにより、スラスト軸１２を前進又は後退させることができる。
【００８６】
次に本実施形態の遠心分離装置を用いて原液（スラリー）を液分とケーキ分とに分離する固液分離処理を行う際の遠心分離装置の動作を説明する。固液分離処理を行う際には、先ず給液工程を行う。この給液工程では、図１に示すようにケーキ押出板２を後退位置に位置させ、蓋板３を閉位置に位置させてバスケット１の開口部を密閉した状態で、バスケット１を給液時に適した速度で回転させ、図示しない原液供給源から配管２９とロータリジョイント２６とフィードパイプ６とを通して、設定された給液時間の間、回転しているバスケット１内の固液分離処理室Ａ２内に原液を供給する。給液時間は、バスケット内における原液の内周位置（液面の位置）が規定の位置に達するまでに要する時間である。この給液時間は予め実験的に求めておく。バスケット内における原液の規定位置は、例えば、排液装置９の可動部９０４の先端部の位置よりも僅かにバスケットの内径側に寄った位置に設定しておく。
【００８７】
給液時間が経過した時にバスケット内への原液の供給を停止し、バスケットを固液分離処理時の速度まで加速して固液分離処理工程を行う。この工程では、バスケットの回転によって生じる遠心力により比重が大きいケーキ分がバスケットの周壁部側に沈降していくため、バスケットの周壁部寄りの領域にケーキ層Ｃが形成されていき、ケーキ層Ｃの内側に上澄み液層Ｗが形成されていく。固液分離処理工程を設定時間の間行った後、バスケット内に存在する上澄み液をバスケット外に排出する排液工程を行う。
【００８８】
この排液工程では、フィードパイプ６を通してバスケット１の固液分離処理室Ａ２内に高圧ガスを供給し、固液分離処理室Ａ２内の気圧を設定圧力（例えば５kg/cm2 ）以上にする。固液分離処理工程終了時には、バスケットの周壁部の固液分離処理室Ａ２に臨む部分の内周に緻密なケーキ層Ｃが形成されているため、ケーキ押出板２の外周部とバスケットの周壁部１０１の内周部との間の隙間を通して排液室Ａ１側にガスが漏れることはない。従って、ケーキ押出板２の外周部とバスケットの周壁部１０１の内周部との間の隙間を塞ぐ措置を特に講じておかなくても、固液分離処理室内の加圧は支障なく行わせることができる。
【００８９】
固液分離処理室内を加圧することにより、排液装置９に設けられているチェックバルブ９０８を開き、これにより排液装置９内の流路を通して液分が流れるのを許容して、バスケット内に存在する上澄み液を排液装置９を通して排液室Ａ１内に排出する。排液室Ａ１内に排出された液分はバスケットの回転に伴って生じる遠心力によりバスケットの周壁部側に飛ばされ、排液孔ｈからバスケット外に排出される。排液工程では、バスケットの回転速度を更に上昇させて排液装置９の可動部９０４を遠心力によりバスケットの周壁部側に変位させていく。可動部９０４は最終的にその先端がケーキ層Ｃに接した状態になるまで変位するため、バスケット内に存在する上澄み液の殆どすべてを排液装置９と排液室Ａ１と排液孔ｈとを通してバスケットの外部に排出することができる。
【００９０】
排液工程を設定時間の間行った後、バスケットの回転速度を給液時の回転速度まで低下させて、フィードパイプ６を通してバスケット内の固液分離処理室Ａ２内に原液を供給し、再度固液分離処理工程を所定の時間の間行った後、排液工程を所定時間の間行ってバスケット内の上澄み液をバスケット外に排出する。給液工程と、固液分離処理工程と、排液工程とを所定回数繰り返して、バスケット内に所定の厚みのケーキ層Ｃが形成されたところで給液工程ないし排液工程からなる一連の工程を終了する。給液工程、固液分離処理工程及び排液工程をそれぞれ行う時間と、これらの工程を繰り返す回数との最適値とは、処理する原液毎に、予め実験により求めておく。排液工程が終了した後、必要に応じて、フィードパイプ６を通してバスケット内に洗浄液を供給して、バスケット内を洗浄する洗浄工程と、洗浄液を排液装置９を通してバスケット外に排出する排液工程とを行った後、バスケット１内からケーキを排出するケーキ排出工程を行う。
【００９１】
ケーキ排出工程では、バスケット１をケーキ押出板２及び蓋板３とともに所定の回転速度で回転させながらケーキ押出板２を前進位置に向けて変位させ、ケーキ押出板２によりケーキをバスケットの開口部からケーキ回収室内に押し出すと共に、可撓スリーブ７の反転により可撓スリーブ７に付着していたケーキをケーキ回収室２４内に落下させる。
【００９２】
上記の実施形態では、バスケットの周壁部の液分を透過させる透孔を設けずに、専ら遠心沈降作用により液分とケーキ分との分離を行わせている。遠心分離装置としては、バスケットの周壁部に多数の透孔を設けるとともに、バスケットの周壁部の内周にろ布（フィルタ）を配置して、バスケットの回転に伴って生じる遠心力により原液を液分とケーキ分とに分離するろ過式の遠心分離機が多く用いられているが、ろ過式の遠心分離機では、ケーキの結晶又は粒子が微小である場合に、バスケットの内周にある程度の厚みのケーキ層が形成されたところで液分がケーキ層を通してバスケットの周壁部の透孔に到達することができなくなるため、固液分離処理を十分に行うことができない。これに対し、遠心沈降作用により固液分離処理を行うようにすれば、ケーキ層を通して脱液を行う必要がないため、ケーキの結晶又は粒子が微小である場合でも固液分離処理を支障なく行うことができる。
【００９３】
上記の実施形態では、バスケットの周壁部に透孔を設けずに専ら遠心沈降作用により固液分離処理を行わせているが、バスケットの周壁部の固液分離処理室Ａ２に臨む部分に多数の透孔を設けて、ろ過式の遠心分離装置としても使用できるようにしても良い。このように構成した場合には、原液に含まれる結晶の粒子が微小でない場合にろ過式の遠心分離機として動作させ、ケーキの粒子が微小である場合に遠心沈降式の遠心分離機として動作させるようにすることができ、１台の遠心分離装置で遠心沈降作用を利用した固液分離処理と、ろ過作用を利用した固液分離処理との双方を行うことができる。この場合、可撓スリーブ７としては、ろ布のようなろ過機能を有するものを使用する。
【００９４】
また周壁部に多数の透孔を有するバスケットを用いる場合でも、バスケット１の周壁部の固液分離処理室Ａ２を構成する部分の内周に液を透過させない材料からなるシートを配置して、このシートによりバスケットの周壁部の透孔を塞ぐことにより、遠心沈降作用のみによる固液分離処理を行わせることができる。
【００９５】
上記の実施形態では、バスケットの開口部の内周部とケーキ押出板の外周部との間に可撓スリーブ７を設けたが、可撓スリーブ７を設けずに、ケーキ押出板２の働きのみによりケーキをバスケット外に排出するようにしてもよい。可撓スリーブを設けない場合、ケーキ押出板２の前進位置はバスケットの開口部付近に設定することもでき、バスケットの開口部の前方に設定することもできる。
【００９６】
上記の実施形態では、蓋板３のフィードパイプ導入部の気密保持を容易にして、バスケット内から上澄み液を排出する際にバスケット内の圧力を外気圧よりも高い状態に保持することを容易にするために、フィードパイプ６をバスケット１と共に回転させるように構成したが、本発明はこのように構成する場合に限定されるものではなく、フィードパイプ６と蓋板３との間に相対的な回転を生じさせても、バスケット内の気密を保持することが可能なシール手段を蓋板３のフィードパイプ導入部に採用できる場合には、フィードパイプ６を前面カバー２３に固定して、バスケットの蓋板３をフィードパイプ６に対して相対的に回転させるように構成してもよい。この場合上記の実施形態で用いたロータリジョイント２６は不要になる。
【００９７】
上記の実施形態では、排液装置９の押出板貫通部９Ａにバスケットの径方向に伸びる径方向管路部９０２を設けているが、径方向管路部９０２を設けずに、押出板貫通部９Ａ内の流路の隙間ｄ側の端部をバスケット１の底壁部１０２側に開口させるようにしてもよい。
【００９８】
上記の実施形態では、バスケットの固液分離処理室内の圧力が設定圧力を超えた場合に、排液装置９内の流路を開くチェックバルブを排液装置９の隙間ｄ側の端部に設けているが、チェックバルブは、排液装置９の液分導入部９Ｂ側に設けるようにしてもよい。
【符号の説明】
【００９９】
１  バスケット
１０１  バスケットの周壁部
１０２  バスケットの底壁部
１０３  バスケットの開口部
２  ケーキ押出板
２ａ  ケーキ押出板の一面
２ｂ  ケーキ押出板の他面
ｄ  ケーキ押出板とバスケットの底壁部との間の隙間
ｈ  排液孔
Ａ１  排液室
Ａ２  固液分離処理室
３  蓋板
４  連結棒
６  フィードパイプ
７  可撓スリーブ
９  排液装置
９Ａ  排液装置の押出板貫通部
９Ｂ  排液装置の液分導入部
９０４  可動部
９０７  可動部を付勢するバネ
１０  バスケット及びケーキ押出板を駆動する駆動装置
１１  主軸
１１ａ  主軸に設けられたスロット
１２  スラスト軸
１３  駆動装置を収容したハウジング
２０  バスケットを収容する円筒状ケーシング
２１  液分回収室
２２  排液管
２３  ケーキ回収室を構成する前カバー
２４  ケーキ回収室
４０  主軸を駆動するモータ
４１  プーリ
４２  プーリ
４３  ベルト
４５  スラスト軸に取り付けられたキー
５０  ナット
５１  ネジ棒
５５  プーリ
５６  ネジ棒を駆動するモータ
５７  プーリ
５８  ベルト
【図１】
2020151642.tif 000003
【図２】
2020151642.tif 000004
【図３】
2020151642.tif 000005
【図４】
2020151642.tif 000006